(57)【要約】【課題】従来のものとは異なる構成により、感性価値が高く、消費者から感動や共感を得ることによって、消費者の購買意欲を高めることができる時計を提供する。【解決手段】指針１１をこの後側から覆うベース部位９を備えたベース基材３と、貫通孔１５を複数備え、これらの貫通孔の少なくとも１つを通して指針１１が示す時刻を認識できるように、ベース部位９の前側でベース基材３に設けられた第１の枠体５と、貫通孔１７を複数備え、これらの貫通孔の少なくとも１つを通して指針１１が示す時刻を認識できるように、第１の枠体５の前側で第１の枠体１に設けられた第２の枠体７とを有する時計１である。【選択図】図３
2013167446.tif 000002
【特許請求の範囲】
【請求項１】
指針をこの後側から覆うベース部位を備えたベース基材と、
貫通孔、切り欠きの少なくともいずれかを複数備え、これらの貫通孔、切り欠きの少なくとも１つを通して前記指針が示す時刻を認識できるように、前記ベース部位の前側で前記ベース部位から離れ前記ベース基材に設けられた第１の枠体と、
貫通孔、切り欠きの少なくともいずれかを複数備え、これらの貫通孔、切り欠きの少なくとも１つを通して前記指針が示す時刻を認識できるように、前記第１の枠体の前側で前記第１の枠体から離れ前記第１の枠体に設けられた第２の枠体と、
を有することを特徴とする時計。
【請求項２】
請求項１に記載の時計において、
前記第１の枠体の貫通孔、切り欠きを形成する周辺部によって光が遮られることで形成される影と、前記第２の枠体の貫通孔、切欠きを形成する周辺部によって光が遮られることで形成される影とが、前記ベース基材上で交差するように構成されていることを特徴とする時計。
【請求項３】
請求項１に記載の時計において、
前記第１の枠体、前記第２の枠体の少なくとも１つの枠体によって形成された影が前記ベース基材上に投影されるように構成されていることを特徴とする時計。
【請求項４】
請求項１〜請求項３のいずれか１項に記載の時計において、
前記第１の枠体と前記第２の枠体との間に、風防が設けられていることを特徴とする時計。
【請求項５】
指針をこの後側から覆うベース部位を備えたベース基材と、
貫通孔、切り欠きの少なくともいずれかを複数備え、これらの貫通孔、切り欠きの少なくとも１つを通して前記指針が示す時刻を認識できるように、前記ベース部位の前側で前記ベース部位から離れ前記ベース基材に設けられた枠体と、
を有することを特徴とする時計。
【請求項６】
請求項１〜請求項５のいずれか１項に記載の時計において、
前記指針には、貫通孔もしくは切り欠きを備えた幅広部が形成されていることを特徴とする時計。
【発明の詳細な説明】
【技術分野】
【０００１】
本発明は、時計に係り、たとえば、壁掛け時計として好適に採用されるものに関する。
【背景技術】
【０００２】
従来の時計は、周知のごとく、１２時等の時刻を表す指標を備えた時計用文字板と、回動して時計用の文字板の指標を示すことで時刻を表示する指針（時針、分針等）と、指針を駆動するムーブメントとを備えている構成されている。
【０００３】
また、従来、文字板と文字板に設けられた針と光源群とを備え、指針で時刻を直接表示するのではなく、光源群によって針を文字板に投影することで時刻を表示する構成の時計が知られている（たとえば特許文献１参照）。
【先行技術文献】
【特許文献】
【０００４】
【特許文献１】特開平６−４３２６５号公報
【発明の概要】
【発明が解決しようとする課題】
【０００５】
ところで、従来のものづくりは、高性能で信頼性が高い製品をいかに安くつくるかに注力してきた。しかしながら、近年、日本以外の途上国でも、製品の製造能力が向上してきている。したがって、価格対機能や性能といった評価軸では、日本以外の他国が強みを持ち始めてきている。
【０００６】
そこで、日本の製造業が生き残っていくには、これまでのようにコストや機能を向上させることに加えて、新しい評価軸で顧客へ訴えることが重要である。その１つとして感性価値（ＫＡＮＳＥＩ  Ｖａｌｕｅ）を高めることを掲げることができる。
【０００７】
感性価値とは、商品価値の中で、性能や機能、コストとは別に、消費者から感動や共感を得ることによって認められる価値のことである。感性価値は、商品価値の新しい評価軸として近年注目されている。
【０００８】
経済産業省が２００７年に発行した「２００６年度版ものづくり白書」は、技術的な強みに加えて、感性価値を高めることが他国製品と比べた差異化になり得ると提言したことから産業界の関心を集めた。なお、経済産業省は、感性価値を「生活者の感性に働きかけ、感動や共感を得ることによって顕在化する価値」と定義している。
【０００９】
感性価値を高めることで、製品の新しい需要を喚起することができる。特に、各社が提供する製品の差異化が難しい成熟した産業（たとえば、時計製造業）では、感性価値の視点による商品開発が新しい需要を喚起する力を持つのである。
【００１０】
特許文献１に記載の時計は、部屋の明かりやインテリアとして時刻を表示することで時計を見る楽しさを創出し、時計の感性価値を高めていると言える。
【００１１】
本発明は、特許文献１に記載の従来のものとは異なる構成により、感性価値が高く、消費者から感動や共感を得ることによって、消費者の購買意欲を高めることができる時計を提供することを目的とする。
【課題を解決するための手段】
【００１２】
請求項１に記載の発明は、指針をこの後側から覆うベース部位を備えたベース基材と、貫通孔、切り欠きの少なくともいずれかを複数備え、これらの貫通孔、切り欠きの少なくとも１つを通して前記指針が示す時刻を認識できるように、前記ベース部位の前側で前記ベース部位から離れ前記ベース基材に設けられた第１の枠体と、貫通孔、切り欠きの少なくともいずれかを複数備え、これらの貫通孔、切り欠きの少なくとも１つを通して前記指針が示す時刻を認識できるように、前記第１の枠体の前側で前記第１の枠体から離れ前記第１の枠体に設けられた第２の枠体とを有する時計である。
【００１３】
請求項２に記載の発明は、請求項１に記載の時計において、前記第１の枠体の貫通孔、切り欠きを形成する周辺部によって光が遮られることで形成される影と、前記第２の枠体の貫通孔、切欠きを形成する周辺部によって光が遮られることで形成される影とが、前記ベース基材上で交差するように構成されている時計である。
【００１４】
請求項３に記載の発明は、請求項１に記載の時計において、前記第１の枠体、前記第２の枠体の少なくとも１つの枠体によって形成された影が前記ベース基材上に投影されるように構成されている時計である。
【００１５】
請求項４に記載の発明は、請求項１〜請求項３のいずれか１項に記載の時計において、前記第１の枠体と前記第２の枠体との間に、風防が設けられている時計である。
【００１６】
請求項５に記載の発明は、指針をこの後側から覆うベース部位を備えたベース基材と、貫通孔、切り欠きの少なくともいずれかを複数備え、これらの貫通孔、切り欠きの少なくとも１つを通して前記指針が示す時刻を認識できるように、前記ベース部位の前側で前記ベース部位から離れ前記ベース基材に設けられた枠体とを有する時計である。
【００１７】
請求項６に記載の発明は、請求項１〜請求項５のいずれか１項に記載の時計において、
前記指針には、貫通孔もしくは切り欠きを備えた幅広部が形成されている時計である。
【発明の効果】
【００１８】
本発明によれば、従来のものとは異なる構成により、感性価値が高く、消費者から感動や共感を得ることによって、消費者の購買意欲を高めることができる時計を提供することができるという効果を奏する。
【図面の簡単な説明】
【００１９】
【図１】本発明の実施形態に係る掛時計を示す斜視図である。
【図２】本発明の実施形態に係る掛時計を示す別の斜視図である。
【図３】本発明の実施形態に係る掛時計の概略構成を示す図であり、（ａ）は正面図であり、（ｂ）は（ａ）におけるＩＩＩＢ−ＩＩＩＢ断面を示す図である。
【図４】掛時計の第２の枠体の概略構成を示す図である、（ａ）は正面図であり、（ｂ）は（ａ）におけるＩＶＢ−ＩＶＢ断面を示す図であり、（ｃ）は（ａ）におけるＩＶＣ矢視図である。
【図５】掛時計の第１の枠体の概略構成を示す図である、（ａ）は正面図であり、（ｂ）は（ａ）におけるＶＢ−ＶＢ断面を示す図であり、（ｃ）は（ａ）におけるＶＣ矢視図である。
【図６】掛時計のベース基材の概略構成を示す図である、（ａ）は正面図であり、（ｂ）は（ａ）におけるＶＩＢ−ＶＩＢ断面を示す図であり、（ｃ）は（ａ）におけるＶＩＣ矢視図である。
【発明を実施するための形態】
【００２０】
まず、説明の便宜のために水平な一方向を左右方向とし、水平な他の一方向を前後方向（表裏方向）とし、鉛直方向を上下方向とする。
【００２１】
本発明の実施形態に係る掛時計（たとえば、ソーラー掛時計）１は、壁等に掛けられて使用されるようになっている。例えば壁に掛けられた掛時計１は、後側（裏側）が壁に対向しており、前側（表側）が、部屋側を向いている。そして部屋側を向いている前側の部位で時刻を表示するようになっている。
【００２２】
掛時計１は、図３等で示すように、ベース基材３と第１の枠体５と第２の枠体７とを備えて構成されている。
【００２３】
ベース基材３は、ベース部位９を備えて構成されており、ベース部位９は、指針１１をこの後側から覆っている。すなわち、ベース部位９は、掛時計１の前後方向で指針１１とムーブメント１３との間に設けられている。
【００２４】
第１の枠体５は、ベース部位９の前側でベース部位９から離れベース基材３に一体的に設けられている。第１の枠体５は貫通孔１５を複数備えている（第１の枠体５には複数の貫通孔１５が設けられている）。そして、時刻を知りたい者が、これらの貫通孔１５の少なくとも１つ（たとえば中央貫通孔２１）を通して指針１１を見ることができ、指針１１が示す時刻を認識できるようになっている。
【００２５】
第２の枠体７は、第１の枠体５の前側で第１の枠体５から離れ第１の枠体５に一体的にけられている。第２の枠体７も貫通孔１７を複数備えている（第２の枠体７には複数の貫通孔１７が設けられている）。そして、時刻を知りたい者が、これらの貫通孔１７の少なくとも１つ（たとえば中央貫通孔２３）と、第１の枠体５の少なくとも１つ（たとえば中央貫通孔２１）とを通して指針１１を見ることができ、指針１１が示す時刻を認識できるようになっている。
【００２６】
また、第１の枠体５と第２の枠体７との間には、風防（風防ガラス）１９が設けられている。
【００２７】
ベース基材３は、平板状のベース部位９と、このベース部位９から前側に突出している側部２５とを備えて枡状に形成されている。ベース部位９は、この厚さ方向が前後方向になっている。
【００２８】
指針１１は、ベース部位９の前側でベース部位９から僅かに離れている。また、正面視で（図３（ａ）で示すように、掛時計１をこの前側から後側に向かって見たときに）指針１１は、ベース部位９の中心Ｃ１を回動中心にしてベース部位９内を回動するようになっている。
【００２９】
第１の枠体５は、所定の厚さの平板状の素材に貫通孔（素材の厚さ方向で素材を貫通している貫通孔）１５を設けた形状に形成されている。
【００３０】
なお、第１の枠体５の製造にあたっては、平板状の素材を用意しこの素材に貫通孔１５を形成してもよいが、素材を用意することなく、たとえば、合成樹脂製の第１の枠体５を射出成形等で形成し貫通孔１５を成形時に設けてもよい。
【００３１】
第１の枠体５は、ベース基材３に一体的に設けられている。ベース基材３に一体的に設けられている第１の枠体５は、この厚さ方向が前後方向になっており、ベース部位９の前側でベース部位９から離れている。なお、指針１１は、前後方向では、ベース部位９と第１の枠体５との間に位置している。
【００３２】
第１の枠体５には、複数の貫通孔１５の一部を構成する中央貫通孔２１と、複数の貫通孔１５の残りを構成する複数の周辺貫通孔２７とが設けられている。中央貫通孔２１は、第１の枠体５の中央部に設けられている。
【００３３】
周辺貫通孔２７は、中央貫通孔２１よりも小さく形成されており、中央貫通孔２１の周辺で中央貫通孔２１から僅かに離れて、第１の枠体５の周辺部に設けられている。
【００３４】
各周辺貫通孔２７は、中央貫通孔２１の周辺をほぼ等しく分配する位置に配置されている。たとえば、一群の周辺貫通孔（図５（ａ）の左上の各周辺貫通孔２７Ａ，２７Ｂ，２７Ｃ）を、中央貫通孔２１の中心Ｃ１を回転中心にして９０°ずつインデックスして複製した態様で、各周辺貫通孔２７（図５（ａ）の右上の各周辺貫通孔２７Ａ，２７Ｂ，２７Ｃ、図５（ａ）の右下の各周辺貫通孔２７Ａ，２７Ｂ，２７Ｃ、図５（ａ）の左下の各周辺貫通孔２７Ａ，２７Ｂ，２７Ｃ）が設けられている。なお、各周辺貫通孔２７Ａ，２７Ｂ，２７Ｃの３つの貫通孔が１つの貫通孔になっていてもよい。つまり、周辺貫通孔３２７が４つの角部のそれぞれに１つずつ合計４つ設けられている態様であってもよい。
【００３５】
そして、時刻を知りたいものが掛時計１を正面視すると、中央貫通孔２１を通して、ベース基材３のベース部位９の中央部（指針１１が存在している部位）を見ることができ、指針１１を見て時刻を認識できるようになっている。また、各周辺貫通孔２７を通して、ベース基材３のベース部位９の周辺部を見ることができるようになっている。
【００３６】
換言すれば、正面視したときに、第１の枠体５の各貫通孔１５（２１，２７）は、ベース基材３のベース部位９の内側に位置しており、第１の枠体５（たとえば、第１の枠体５の中央貫通孔２１と周辺貫通孔２７とを区切っている部位４５等）によってベース部位９の一部が隠されている。
【００３７】
なお、貫通孔１５に代えてもしくは加えて切り欠き（図示せず）を設けることで（貫通孔１５、切り欠きの少なくともいずれかを設けることで）、中央貫通孔２１と周辺貫通孔２７とに相等する部位を形成してもよい。貫通孔１５は、第１の枠体５の素材の外周に通じていないが、切り欠きは、第１の枠体５の素材の外周に通じた形態になっている。
【００３８】
貫通孔１５、切り欠きの少なくともいずれかを設ける場合についてさらに説明する。掛時計１では、第１の枠体５に切り欠きを設けないで複数の貫通孔１５のみを設けているが、この形態を次のように変更してもよい。１つもしくは複数の貫通孔と１つもしくは複数の切り欠きを設けた形態、または、貫通孔を設けることなく１つもしくは複数の切り欠きを設けた形態。
【００３９】
第２の枠体７は、第１の枠体５と同様に製造され、本体部２９とスペーサ部３１とを備えて構成されている。
【００４０】
本体部２９は、第１の枠体５と同様に、所定の厚さの平板状の素材に貫通孔１７もしくは切り欠き（素材の厚さ方向で素材を貫通している貫通孔もしくは切り欠き）を設けた形状に形成されている（掛時計１では、切り欠きを設けないで、貫通孔１７のみを設けてある）。
【００４１】
スペーサ部３１は、環状に形成されており、本体部２９の後側で本体部２９の各貫通孔１７の外側に設けられている。なお、スペーサ部３１を本体部２９と一体で設ける代わりに、スペーサ部３１を本体部２９から分離した別体にしてもよいし、スペーサ部３１を第１の枠体５と一体化してもよい。
【００４２】
第２の枠体７は、本体部２９の厚さ方向が前後方向になり、本体部２９が前側に位置し、スペーサ部３１が後側に位置して第１の枠体５に接するようにして、第１の枠体５の前側で第１の枠体５に一体的に設けられている。第１の枠体５に一体的に設けられている第２の枠体７の本体部２９は、スペーサ部３１により第１の枠体５から厚さ方向（前後方向）に離れている。
【００４３】
第２の枠体７の本体部２９にも、第１の枠体５と同様にして、中央貫通孔２３と、複数の周辺貫通孔３３が設けられている。中央貫通孔２３は、第２の枠体７の中央部に設けられている。
【００４４】
周辺貫通孔３３は、中央貫通孔２３よりも小さくなっており、中央貫通孔２３の周辺で中央貫通孔２３から僅かに離れ、第２の枠体７の周辺部に設けられている。各周辺貫通孔３３は、第１の枠体５の場合と同様にして、中央貫通孔２３の周辺をほぼ等しく分配する位置に配置されている。
【００４５】
そして、時刻を知りたいものが掛時計１を正面視すると、各中央貫通孔２１，２３を通して、指針１１が示す時刻を認識できるようになっている。また、第２の枠体７の中央貫通孔２３を通して、第１の枠体５の中央貫通孔２１と第１の枠体５の周辺貫通孔２７の一部とを見ることができるようになっている。また、掛時計１を正面視すると、第２の枠体７の各周辺貫通孔３３を通して、第１の枠体５の周辺貫通孔２７の残り部分を見ることができるようになっている。また、第１の枠体５の各貫通孔１５と第２の枠体７の各貫通孔１７とを通して、ベース基材３のベース部位９が見えるようになっている。
【００４６】
さらに詳しく説明すると、正面視したときに、第２の枠体７の各貫通孔１７の外形状（各貫通孔１７（２３，３３）を包み込む形状；たとえば矩形状）と、ベース基材３のベース部位９の形状とは、お互いがほぼ一致しており、また、第１の枠体５の各貫通孔１５（２１，２７Ａ，２７Ｂ，２７Ｃ）の外形形状は、第２の枠体７の各貫通孔１７の外形状よりも僅かに小さく、第２の枠体７の各貫通孔１７で表される外形形状の内側に、第１の枠体５の各貫通孔１５で表される外形形状が位置している。
【００４７】
また、第２の枠体７の中央貫通孔２３を通して、第１の枠体５の中央貫通孔２１の総てと周辺貫通孔２７の一部とが見えるようになっており、第２の枠体７の周辺貫通孔３３を通して、第１の枠体５の周辺貫通孔２７の他の部位が見えるようになっている。
【００４８】
また、第２の枠体７の各貫通孔１７は、環状のスペーサ部３１から僅かに離れて環状のスペーサ部３１の内側に位置している。
【００４９】
さらに、第２の枠体７（たとえば、第２の枠体７の中央貫通孔２３と周辺貫通孔３３とを区切っている部位３５）によって第１の枠体５の周辺貫通孔２７の一部とベース部位９の一部とが隠されている。
【００５０】
風防１９は、透明（無色透明であるが、有色透明であってもよいし、半透明であってもよい。）なガラス等の材料で平板状に形成されている。
【００５１】
風防１９は、この厚さ方向が前後方向になるようにして、第１の枠体５と第２の枠体７の本体部２９との間で、環状の弾性を備えたパッキン３７を介して、第１の枠体５と第２の枠体７の本体部２９とに挟まれ、第１の枠体５や第２の枠体７に一体的に設けられている。
【００５２】
また、風防１９は、第１の枠体５の貫通孔１５の前側に位置しており、第１の枠体５の貫通孔１５を塞いでいる。すなわち、正面視すると、風防１９が、第１の枠体５の貫通孔１５の総てを覆っている（より具体的には、風防１９が、第２の枠体７の貫通孔１７を通して見える第１の枠体５の総ての部位を覆っている）。
【００５３】
さらに説明すると、正面視したときに、第１の枠体５の内側（外周の内側）に、第２の枠体７とベース基材３とが位置している。第２の枠体７の外周とベース基材３の外周とがお互いがほぼ一致している。
【００５４】
また、第１の枠体５の内側に、第２の枠体７のスペーサ部３１が位置しており、スペーサ部３１の内側に風防１９が位置している。風防１９の外周とスペーサ部３１の内周とはお互いがほぼ一致している。風防１９の内側に、第２の枠体７の各貫通孔１７が位置している。
【００５５】
また、第１の枠体５の周辺貫通孔２７を形成している帯状の部位３９の一部と、第２の枠体７の周辺貫通孔３３を形成している帯状の部位３５の一部とがお互いに重なっている（図３（ａ）参照）。
【００５６】
掛時計１の前後方向では、後から前に向かって、ベース基材３のベース部位９、指針１１、第１の枠体５、風防１９、第２の枠体７の本体部２９がこの順にならんでいる。
【００５７】
また、すでに理解されるように、ベース基材３と第１の枠体５と風防１９とで閉空間が形成されており、この閉空間内に指針１１が存在している。
【００５８】
ベース基材３のベース部位９は、たとえば、矩形な平板状に形成されている。ベース基材３の側部２５は、背の低い矩形な筒状に形成されており、ベース部位９の外周からベース部位９の厚さ方向の一方の側（前側）に突出している。したがって、ベース基材３の前側には、ベース部位９の前面を上面とし、ベース基材３の前側の開口部を底面（上面よりも面積が大きい底面）とする四角錐台状の凹部が形成されている。また、ベース基材３を正面視すると、ベース部位９を「ロ」字状の側部２５が囲んでいる。
【００５９】
ベース基材３のベース部位９の後側には、ムーブメント（ムーブメントブロック）１３が設けられており、指針１１は、ベース基材３のベース部位９の中心Ｃ１に設けられた小孔を通して、ムーブメント１３に接続されて回動するようになっている。ベース基材３の後側およびムーブメント１３は、ケース４１によって覆われている。
【００６０】
掛時計１についてさらに説明する。
【００６１】
正面視すると、第１の枠体５は、図５（ａ）で示すように、所定の幅で「ロ」字状に見える外周部４３と、所定の幅で円環状に見える内周部４５と、所定幅で円弧状に見える円弧状部３９とを備えて構成されている。それぞれの部位の幅は、外周部４３が最も広く、次に内周部４５が広く、円弧状部３９がもっとも狭くなっている。
【００６２】
また、外周部４３の４つの辺のうちの１つ目の辺が、上方で左右方向に延びており、２つ目の辺が右側で上下方向に延びており、３つ目の辺が下方で左右方向に延びており、４つ目の辺が左側で上下方向に延びている。
【００６３】
また、外周部４３の内側に内周部４５が位置し、内周部４５の一部が、外周部４３の４つの辺の中央部で外周部４３に接しており、内周部４５が４箇所で外周部４３につながっている。これにより、外周部４３の内側の各角部のところには、直角二等辺三角形状（斜辺が凹状の円弧である直角二等辺三角形状；実際には、円弧状部３９が存在しているので、直角二等辺三角形状そのものは非存在である。）の貫通孔４７が４つ形成される。なお、内周部４５の内側の大きな円形状の貫通孔が中央貫通孔２１になっている。
【００６４】
円弧状部３９は、１／６程度の円弧状に形成されており、第１の枠体５の中心側に凸になって、直角二等辺三角形状の貫通孔４７内に設けられており、直角二等辺三角形状の貫通孔４７を分割している。
【００６５】
また、円弧状部３９の長手方向の一端部は、直角三角形の２つの隣辺（直角の隣辺）のうちの一方の隣辺に接続されている。この接続箇所は、一方の隣辺の長手方向で、中央部よりも僅かに直角側に位置している。
【００６６】
また、円弧状部３９の長手方向の他端部は、直角三角形の２つの隣辺（直角の隣辺）のうちの他方の隣辺に接続されている。この接続箇所は、他方の隣辺の長手方向で、斜辺側（直角と反対側）に位置している。
【００６７】
また、円弧状部３９の長手方向の中間部（他端側の中間部位）は、内周部４５に接している。
【００６８】
このようにして円弧状部３９が設けられていることで、直角二等辺三角形状の貫通孔４７は、前述した周辺貫通孔２７Ａ，２７Ｂ，２７Ｃに分割されている。
【００６９】
円弧状部３９は、４つの直角二等辺三角形状の貫通孔４７のそれぞれに同様に形成されている。さらに説明すると、正面視において、第１の枠体５の中心（外周部４３の中心、内周部４５の中心）とベース基材３の中心Ｃ１とはお互いに一致しており、第１の枠体５の外周部４３の４つの辺の長さはお互いに等しくなっており、第１の枠体５の各円弧状部３９は、１つの円弧状部を、第１の枠体５の中心Ｃ１を回転中心にして９０°ずつインデックスして複製した態様で設けられている。
【００７０】
したがって、４つの直角二等辺三角形の貫通孔４７それぞれに設けられた円弧状部３９によって、外周部４３と内周部４５との間に１２個（４箇所×３個）の周辺貫通孔２７Ａ，２７Ｂ，２７Ｃが形成されており、これらの１２個の貫通孔が周辺貫通孔２７になっている。
【００７１】
また、正面視すると、図４（ａ）で示すように、第２の枠体７の本体部２９は、所定の幅で「ロ」字状に見える外周部４９と、所定幅で円弧状に見える円弧状部３５とを備えて構成されている。外周部４９の幅は、第１の枠体５の外周部４３の幅よりも狭く、第１の枠体５の内周部４５の幅よりも広くなっている。円弧状部３５の幅は、第１の枠体５の円弧状部３９の幅とほぼ同じになっている。
【００７２】
また、外周部４９の４つの辺のうちの１つ目の辺が、上方で左右方向に延びており、２つ目の辺が右側で上下方向に延びており、３つ目の辺が下方で左右方向に延びており、４つ目の辺が左側で上下方向に延びている。
【００７３】
さらに、外周部４９の外周が第１の枠体５の外周部４３の外周の内側に位置しており、外周部４９の内周が第１の枠体５の外周部４３の内周の外側に位置している。
【００７４】
円弧状部３５は、第１の枠体５の円弧状部とほぼ同じ形状で同じ大きさに形成されており、外周部４９の内側で、外周部４９の角部の近傍に４つ設けられている。また、円弧状部３５は、第２の枠体７の中心側に凸になっている。
【００７５】
ここで、「ロ」字状の外周部４９の１つの角部の近傍に設けられている１つの円弧状部（図４（ａ）左上の円弧状部）３５について詳しく説明する。円弧状部３５は、長手方向の一端部が、外周部４９の上記角部（図４（ａ）左上の角部）を形成している１つの辺（上方で左右方向に延伸している辺）に接続されており、長手方向の他端部が、上記角部を形成している他の１つの辺（左側で上下方向に延伸している辺）に接続されている。円弧状部３５の一端部の接続箇所と上記角部との間の距離は、円弧状部の他端部の接続箇所と上記角部との間の距離よりも大きくなっている。
【００７６】
また、第２の枠体７を第１の枠体５やベース基材３に設置した状態を平面視すると、第２の枠体７の中心（外周部４９の中心）とベース基材３の中心Ｃ１とはお互いに一致しており、第２の枠体７の外周部４９の１つの上記角部のすぐ近くに第１の枠体５の外周部４３の１つの角部が位置している。そして、第１の枠体５の円弧状部（上記１つの角部に設けられている円弧状部）３９と、第２の枠体７の円弧状部（１つの上記角部に設けられている円弧状部）３５は、対角線（上記いつの角部と各枠体の中心とをお互いに結ぶ対角線；図３（ａ）に二点鎖線で示す直線Ｌ１）に対して、概ね対称に配置されている。
【００７７】
また、第２の枠体７の円弧状部３５は、１つの円弧状部を、第２の枠体７の中心Ｃ１を中心にして９０°ずつインデックスして複製した態様で設けられている。
【００７８】
そして、４つの円弧状部３５によって、第２の枠体７の外周部の各角部の近くに、４つの貫通孔が形成されており、これらの４個の貫通孔が周辺貫通孔３３になっている。また、４つの貫通孔３３以外の中央の大きな貫通孔が中央貫通孔２３になっている。
【００７９】
正面視すると、第２の枠体７の中央貫通孔２３の内側に第１の枠体５の内周部４５が存在している。また、第１の枠体５の円弧状部３９と第２の枠体７の円弧状部３５とがお互いが交差して、異なる方向に延びている。
【００８０】
すなわち、第１の枠体５の模様（貫通孔１５や部位３９で形成される模様）と、第２の枠体７の模様（部位３５や貫通孔１７で形成される模様）とは、お互いができるだけ重ならないようになっている。なお、第１の枠体５の部位３９の幅と、第２の枠体７の部位３５の幅とは、お互いが等しいが、いずれかが太くなっていてもよい。また、曲率半径がお互いに異なっていてもよい。
【００８１】
また、ベース基材３のベース部位９には、ソーラーセル（ソーラパネル）が設けられており、指針１１には、貫通孔５３を備えた幅広部５１が形成されている。なお、掛時計１では、貫通孔５３が形成されているが、貫通孔５３に代えてもしくは加えて、切り欠きが形成されていてもよい。
【００８２】
掛時計１を正面視すると、指針１１は、第１の枠体５の中央貫通孔２１の内側に存在している。
【００８３】
指針１１の長手方向とは、指針１１がこの回動中心Ｃ１からベース基材３（ベース部位９）の外周に向かって延伸している方向であり、指針１１の厚さ方向とは、前後方向であり、指針１１の幅方向とは、長手方向と厚さ方向とに直交する方向（指針１１の回動における周方向）である。貫通孔５３は、指針１１をこの厚さ方向に貫通している。
【００８４】
指針１１は、分針１１Ａと時針１１Ｂとで構成されており、幅広部５１は、分針１１Ａ、時針１１Ｂの少なくともいずれかに設けられている。掛時計１では、幅広部５１が、分針１１Ａ、時針１１Ｂの両方に設けられている。なお、必要に応じて掛時計１に秒針を設けてもよい。この場合、時針、分針、秒針の少なくともいずれかに幅広部５１が設けられているものとする。
【００８５】
幅広部５１は、たとえば、菱形状（各辺が円弧状で内側に凸になっている菱形状）に形成されている。また、幅広部５１は、指針１１の長手方向の中間部で先端側に形成されており、菱形の一方の対角線が指針の長手方向と一致している。
【００８６】
貫通孔５３も、幅広部５１と同様な菱形状に形成されているが、その大きさは、幅広部５１よりもひとまわり小さくなっている。貫通孔５３の中心と幅広部５１の中心とはお互いが一致している。また、貫通孔５３においても、菱形の一方の対角線が指針の長手方向と一致している。
【００８７】
また、時針１１Ｂの幅広部５１（貫通孔５３）は、分針１１Ａの幅広部５１（貫通孔５３）よりも大きくなっているが、両者を同じ大きさにしてもよいし、分針１１Ａの幅広部５１（貫通孔５３）を時針１１Ｂの幅広部５１（貫通孔５３）より大きくしてもよい。さらに、幅広部５１等の形態を、当然に、円形等の他の形状にしてもよい。
【００８８】
また、掛時計１では、時刻を表す指標（１２等の数字）５５が、第１の枠体５（内周部４５）に設けられているが、指標５５を、第１の枠体５に設けることに代えてもしくは加えて、第２の枠体７やベース基材３のベース部位９に設けてもよい。
【００８９】
また、ベース基材３の前面は、白色もしくは白色に近い色になっており、各枠５，７の前面や指針１１の色は、黒色もしくは濃い茶色になっている
また、掛時計１では、各枠体５，７は、非透明であるが、各枠体５，７を透明（色付き透明を含む）や半透明（色付き透明を含む）にしてもよい。
【００９０】
ここで、掛時計１が、どのようにして、消費者に感動や共感を与えるか、例を掲げて説明する。
【００９１】
掛時計１が壁に掛けられて時刻を表示している状態で、太陽光等の光が掛時計１の前側もしくは前側の側方から差し込むと、図１に示すように、ベース基材３のベース部位９に各枠体５，７（部位３５，３９等）や指針１１の影５７，５９，６１の模様が現れる。この影５７，５９，６１の模様は、ベース部位９からの距離の差によって濃さが若干異なっている。また、光が太陽光である場合、時刻の経過とともに影５７，５９，６１の形態が刻々と変化し、掛時計１を見たものに美観等のよる感動や共感を与えるのである。
【００９２】
すなわち、掛時計１によれば、ベース基材３の前側に複数の貫通孔１５，１７を備えた各枠体５，７が設けられているので、掛時計１に光があたったときに、ベース基材３のベース部位９に、第１の枠体５の部位３９等の影（貫通孔１５等による模様）と第２の枠体７の部位３５等の影（貫通孔１７等による模様）とが形成される。これらの影は、お互いの濃さが異なっている。すなわち、ベース基材３のベース部位９に近い第１の枠体５の影は濃く、ベース基材３のベース部位９から遠い第２の枠体７の影はやや薄くなっていることで、２種類の濃さの影がベース部位９に生成される。
【００９３】
さらに、これらの影が交差した部位はそれぞれ単体の影の濃さよりも濃くなるため、本実施形態における掛け時計１では合計３種類の濃さの影が生成されるとともに、枠体５および枠体７の距離に応じたボケが影に発生するため、複雑な影模様が生成される。
【００９４】
また、第１の枠体５の貫通孔、切り欠きを形成する周辺部によって光が遮られることで形成される影と、第２の枠体７の貫通孔、切欠きを形成する周辺部によって光が遮られることで形成される影とが、ベース基材３（ベース部位９）上で交差するように構成されている。
【００９５】
これにより、桜やクヌギ等の木の葉の重なりでできる柔らかな木漏れ日がベース基材３のベース部位９に生成されたような心やすらぐ印象、桜やクヌギ等の木の葉の重なりを逆光で見たときのイメージがベース部位に生成されたような心やすらぐ印象を、掛時計１を見た者に与えることができるのである。そして、感性価値が高く、消費者から感動や共感を得ることによって、消費者の購買意欲を高めることができることができる。
【００９６】
なお、各枠体５，７の各周辺貫通孔２７，３３を円弧状部３５，３９で生成しているとともに、第１の枠体５の円弧状部３９と第２の枠体７の円弧状部３５とが、正面視において、お互いが交差するようにずれて延伸しているので、上記印象が一層高まっている。
【００９７】
また、掛時計１によれば、第１の枠体５と第２の枠体７の本体部２９との間に、風防１９が設けられているので、指針１１が設けられている箇所に埃が入り込むことを防止することができるとともに、第１の枠体５の影と第２の枠体７の影との形態の差（濃さ、ぼけ具合等）が風防１９での光の透過率や反射率等の影響で一層大きくなり、上記印象をさらに一層高めることができる。
【００９８】
また、掛時計１によれば、指針１１に貫通孔５３が形成されている幅広部５１が設けられているので、指針１１の回動位置を認識しやすくなっているとともに、幅広部５１の影６１が枠体５，７の影と同様にしてベース基材３のベース部位９に形成されるので、上記印象を一層高めることができる。また、幅広部５１に形成されている貫通孔５３を通過した光がベース部位９のところに設置されているソーラーセルに照射されるので、回動位置を認識しやすくするための幅広部５１が指針１１に形成されているにもかかわらず、発電効率を高めることができる。
【００９９】
また、掛時計１によれば、第１の枠体５の外周部４３の内側に、第２の枠体７の外周部４９が配置されており、第１の枠体５の外周部４３の内側に指標５５を備えた内周部４５が配置されている。これにより、掛時計１が奥行きを持つような遠近感が創出されている。さらに、掛時計１を斜め方向から見ても、指針１１等が見やすくなっている。
【０１００】
ところで、上記実施形態では、アナログ式のソーラー掛時計を例に掲げて説明したが、腕時計等の他の時計に上記実施形態に係るものを適用してもよい。また、ソーラー時計以外の電気式時計や機械式時計に、上記実施形態に係るものを適用してもよい。さらに、デジタル式の時計に上記実施形態に係るものを適用してもよい。
【０１０１】
また、本実施形態に係る掛時計１では、第１の枠体５の各円弧状部３９および第２の枠体７の各円弧状部３５が、それぞれ１つの円弧状部を、中心Ｃ１を回転中心にして９０°ずつインデックスして複製した態様で設けられているが、これに限らず、第１の枠体５の模様と、第２の枠体７の模様とが、お互いにできるだけ重ならないように、それぞれ異なる形態（たとえば、各円弧状部がお互いに異なる形状）をもつように形成されていてもよい。
【０１０２】
また、本実施形態に係る掛時計１では、第１の枠体５の周辺貫通孔２７を形成している帯状の部位３９の一部と、第２の枠体７の周辺貫通孔３３を形成している帯状の部位３５とは円弧状に形成されているが、これに限らず直線状等の他の形状に形成されていてもよい。
【０１０３】
また、本実施形態に係る掛時計１では、ベース部位９と枠体５および枠体７との距離を大きくとることでボケが大きい影を形成するようにしたが、ベース部位９との距離関係を変えることで、ボケの少ないシャープな影を形成するようにしてもよい。
【０１０４】
さらに、掛時計１において、第１の枠体５、第２の枠体７の少なくとも１つの枠体によって形成された影が、ベース基材３（ベース部位９）上に投影されるように構成されていてもよい。
【０１０５】
この場合の態様について例を掲げて説明する。
【０１０６】
一例目は、上記実施形態に係る（図３等で示す）掛時計１のように、第１の枠体５と第２の枠体７とによって、ベース部位９上に影が形成されるな場合である。
【０１０７】
二例目として、第１の枠体５のみに周辺貫通孔２７（帯状部位３９）が設けられており、第２の枠体７には、帯状部位３５が設けられていない場合を掲げることができる。このように構成されていることで、ベース部位９上には、第１の枠体５による影のみが形成される。
【０１０８】
三例目として、第２の枠体７には帯状部位３５が設けられているが、第１の枠体５には内周部４５や帯状部位３９が設けられていない場合を掲げることができる。このように構成されていることで、ベース部位９上に、第２の枠体７による影のみが形成される。
【０１０９】
四例目として、第１の枠体５には、図５で示すような内周部４５と帯状部位３９とが設けられているが、第２の枠体７の帯状部位３５の形態が図４で示すものとは異なっている場合を掲げることができる。
【０１１０】
この場合においては、第２の枠体７の帯状部位の幅が第１の枠体５の帯状部位３９の幅よりも狭く、しかも、掛時計１を正面視したときに、第２の枠体７の帯状部位が第１の枠体５の帯状部位３９に重なって第１の枠体５の帯状部位３９の内側に存在している。
【０１１１】
このように構成されていることで、第２の枠体７の帯状部位の影が第１の枠体５に形成され、ベース部位９上に、第２の枠体７による影が形成されることはなく、ベース部位９上に、第１の枠体５による影のみが形成される。
【０１１２】
なお、掛時計１において、第２の枠体７を削除してもよい。
【０１１３】
すなわち、掛時計を、指針をこの後側から覆うベース部位を備えたベース基材と、貫通孔、切り欠きの少なくともいずれかを複数備え、これらの貫通孔、切り欠きの少なくとも１つを通して前記指針が示す時刻を認識できるように、前記ベース部位の前側で前記ベース部位から離れ前記ベース基材に設けられた枠体とを有するものとしてもよい。
【０１１４】
この場合、風防１９を第１の枠体５の後側に配置してもよい。
【符号の説明】
【０１１５】
１  時計
３  ベース基材
５  第１の枠体
７  第２の枠体
９  ベース部位
１１  指針
１５、１７  貫通孔
１９  風防
５１  幅広部
５３  貫通孔
【図１】
2013167446.tif 000003
【図２】
2013167446.tif 000004
【図３】
2013167446.tif 000005
【図４】
2013167446.tif 000006
【図５】
2013167446.tif 000007
【図６】
2013167446.tif 000008